(57)【要約】【課題】衣類洗濯乾燥機において、動作の終了後、洗濯物を長時間取り出さないでいると、洗濯物に強いシワが付く、また雑菌の繁殖により洗濯物に悪臭がつくことを防止しする。【解決手段】制御手段３９は、使用者が最終工程が脱水でかつ乾燥を行わない設定を行ったときに、使用者の設定した動作の終了後所定時間を計時し、衣類検知手段によってその間に衣類が取り出されていないときは、衣類の乾燥動作を開始することにより、使用者が洗濯終了した洗濯物を干すのを忘れても、所定時間後に自動的に乾燥動作が開始されるので、洗濯した衣類に細菌の繁殖、強いシワの発生が無くなる。【選択図】  図１
2005027689.tif 000002
【特許請求の範囲】
【請求項１】
筐体と、この筐体に内包され回転軸を中心に回転する略円筒状で衣類を収容する洗濯兼脱水槽と、前記洗濯兼脱水槽を内包し洗濯兼脱水槽と同心の略円筒形状である受け筒と、前記洗濯兼脱水槽および洗濯軸を回転させるモータと、衣類を乾燥させる乾燥空気を加熱するヒータと、乾燥空気を送風する乾燥用送風機と、前記モータと前記ヒータと前記乾燥用送風機を動作させて使用者の設定に応じ衣類の洗濯、すすぎ、脱水、乾燥の一連の動作を制御する制御手段と、使用者の設定した動作を行い設定した動作の終了から所定の経過時間を計時する計時手段と、洗濯兼脱水槽の中の衣類の有無を検知する衣類検知手段を備え、前記制御手段は、前記使用者の設定した動作が脱水を行うと終了し脱水に引き続き乾燥を行わない設定のときであって、前記計時手段が所定の時間を計時した際に、前記洗濯兼脱水槽の中に衣類が有ると、衣類の乾燥動作を開始する洗濯乾燥機。
【請求項２】
制御手段は、使用者が設定した脱水のシーケンス動作において脱水槽の総回転数が所定の回転回数以上の設定であり、脱水に引き続き乾燥を行わない設定のときであって、前記計時手段が所定の時間を計時した際に、前記洗濯兼脱水槽の中に衣類が有ると、衣類の乾燥動作を開始する請求項１に記載の洗濯乾燥機。
【請求項３】
制御手段は、デリケートな衣類の洗濯を行う洗濯コースを、使用者が設定して運転を開始したときには、所定時間経過後の乾燥運転開始を行わない請求項１または２に記載の洗濯乾燥機。
【請求項４】
制御手段は、所定時間経過後の乾燥運転の開始を行わないように設定する操作を有した請求項１〜３のいずれか１項に記載の洗濯乾燥機。
【請求項５】
衣類検知手段は、洗濯兼脱水槽の蓋の開閉を検知するスイッチとした請求項１〜４に記載の洗濯乾燥機。
【請求項６】
衣類検知手段は、洗濯兼脱水槽の蓋の開の時間が所定の時間以上のときに衣類の取り出しとする請求項５に記載の洗濯乾燥機。
【発明の詳細な説明】
【０００１】
【発明の属する技術分野】
本発明は一般家庭において使用する洗濯から乾燥までを一貫して実施できる、全自動洗濯乾燥機に関するものである。
【０００２】
【従来の技術】
従来の全自動洗濯乾燥機（例えば、特許文献１参照）を図５に示す。１は全自動洗濯乾燥機の筐体で、２は受け筒である。３は、前記受け筒２を上記筐体１から懸垂防振支持するサスペンション機構である。４は中空で二軸構造となった洗濯・脱水軸であり、５は洗濯又は脱水時により回転力の伝達を洗濯・脱水軸に切り換えるクラッチ、６は洗濯兼脱水槽、７は洗濯兼脱水槽に設けた流体バランサーである。８は上記受け筒２の底部に設けたモータ、９は洗濯兼脱水槽の中央底部に設けたパルセータで、その外周部には傾斜面１０が設けられている。１１は前記パルセータの中央部から外周部の傾斜面１０を通り、ほぼ外縁に迄至る放射状に複数本形成した、リブ状の翼である。１２は排水コック、１３は乾燥のための温風送風用の送風機である。ヒータ１４を通った温風は、上部通路１５から、蛇腹ホース１６を通って、中蓋１７を介して、上記洗濯兼脱水槽６内に送り込まれる。１８は受け筒２の上部に設けられた投入口の蓋であり、１９は空冷式の熱交換部、３８は被乾燥布である。
【０００３】
以上のように構成された全自動洗濯乾燥機について、その動作を以下に説明する。洗濯は、洗濯兼脱水槽６に衣類と水、若しくはお湯、そして洗剤を投入し、５の伝達機構部のクラッチを洗濯側に設定して、モータ８の動力を洗濯軸を介しパルセータ９に伝達し、前記パルセータ９が回転することで、衣類がパルセータ９のリブ状翼１１によって水中を回転させられることにより進行する。
【０００４】
脱水は、洗濯終了後、洗濯兼脱水槽６内の水を、排水コック１２を開いて排水した後、５の伝達機構部のクラッチを脱水側に切り換えて、モータ８の動力を脱水軸を介し洗濯兼脱水槽６を回転させ、洗濯物に遠心力を与えることにより、水分を洗濯物から分離することで進行する。
【０００５】
乾燥は、まず、パルセータ９をゆっくり回転させることにより、脱水時の遠心力により洗濯兼脱水槽６内壁に張り付いた洗濯物を引き剥がした後、同パルセータ９を、瞬間的に強力に回転させて、洗濯物を前記洗濯兼脱水槽６内で上方に放り上げるように攪乱する。その状態で、ヒータ１４で温められた温風を送風機１３により、上部通路１５から、蛇腹ホース１６を通過させ、中蓋１７を介して、洗濯兼脱水槽６内に、吹き込む。この温風は、前記洗濯兼脱水槽６内にて被乾燥物の水分をとり、受け筒２を通った後、熱交換部１８を通過しつつ除湿され、その後、再び、送風機１３に戻ることになる。そして、前記パルセータ９の逆転方向への瞬間的な回転を含めて、乾燥が進行し、図示していないが乾燥の終了を検知する手段で乾燥の終了を検知すると報知音を発して、一連の動作を終了する。
【０００６】
また、使用者は好みに応じて、乾燥工程を省略して洗濯、すすぎ、脱水のみで終わらせることもできる。この場合脱水のシーケンス動作が終了すると、報知音を発して、一連の動作を終了させる。洗い、すすぎ、脱水、乾燥などの行程を制御する制御手段は、乾燥行程終了後の送風行程にて、洗濯兼脱水槽６の回転とリブ状翼１１の回転とを交互に繰り返し、ほこり、糸くずなどをフィルター２０で回収する。使用者はこの後、衣類を取り出して干す。
【０００７】
【特許文献１】
特開２００２−１５９７９１号公報
【０００８】
【発明が解決しようとする課題】
上記の構成による提案済みの全自動洗濯乾燥機は、使用者が省エネルギーやランニングコストの節約のため、洗濯から乾燥まで全行程の運転を設定せず、乾燥行程を使わない設定や、洗濯終了後続いて短時間乾燥しその後の天日干し時間を短縮する設定もできる。しかしながら、使用者が洗濯後の乾燥を行わない設定か、乾燥を最後まで行わない設定で動作させた時、その設定した動作の終了後、洗濯物を洗濯兼脱水槽から長時間取り出さないでいると、洗濯物に強いシワが付く、また雑菌の繁殖により洗濯物に悪臭がつくなどが発生し、その対処のため、シワ取りに長時間の労力を要したり、洗い直しが必要になったりする。
【０００９】
本発明は、上記課題を解決するためのものであり、使用者が乾燥終了までを行わない設定で動作させた時、使用者の設定した動作の終了後所定時間を計時し、その間に衣類が取り出されていないときは、衣類の乾燥動作を開始する機能を有する衣類洗濯乾燥機を得る事を目的としている。同時に、洗濯終了後、自動的に乾燥行程に入ると支障がある時や、ユーザーがそれを望まない時は、自動的に乾燥工程にならない仕様を設け本来の目的遂行による不都合を未然に防ぐ機能を設けている。
【００１０】
【課題を解決するための手段】
この課題を解決するために本発明は、従来の全自動洗濯乾燥機の構成に加えて、使用者の設定した動作の終了後からの経過時間を計時する計時手段と、洗濯兼脱水槽の中の衣類の有無を検知する衣類検知手段を備え、全自動洗濯乾燥機の制御手段は、使用者が乾燥を行わない設定を行ったときに、使用者の設定した動作の終了後所定時間を計時し、その間に衣類が取り出されていないと判断したときは、衣類の乾燥動作を開始するものである。また、自動的に乾燥行程に移行すると支障がある場合を、使用者の洗濯コース設定や脱水回転速度と時間の内容によって判定し、この動作を開始しない制御を行う。
【００１１】
これによって、使用者が洗濯脱水し終了した洗濯物を取り出すのを忘れ洗濯乾燥機に放置したとしても、所定時間後に自動的に乾燥動作を開始し、湿った衣類を放置することで発生する、細菌の繁殖やそれにともなう臭気の発生、強いシワの発生が防止される。
【００１２】
【発明の実施の形態】
本発明の請求項１記載の発明は、筐体と、この筐体に内包され回転軸を中心に回転する略円筒状で衣類を収容する洗濯兼脱水槽と、前記洗濯兼脱水槽を内包し洗濯兼脱水槽と同心の略円筒形状である受け筒と、前記洗濯兼脱水槽および洗濯軸を回転させるモータと、衣類を乾燥させる乾燥空気を加熱するヒータと、乾燥空気を送風する乾燥用送風機と、前記モータと前記ヒータと前記乾燥用送風機を動作させて使用者の設定に応じ衣類の洗濯、すすぎ、脱水、乾燥の一連の動作を制御する制御手段と、使用者の設定した動作を行いこの設定した動作の終了からの所定の経過時間を計時する計時手段と、洗濯兼脱水槽の中の衣類の有無を検知する衣類検知手段を備え、前記制御手段は、前記使用者の設定した動作が脱水を行うと終了し脱水に引き続き乾燥を行わない設定のときであって、前記計時手段が所定の時間を計時した際に、前記洗濯兼脱水槽の中に衣類が有ると、衣類の乾燥動作を開始する衣類洗濯乾燥機とすることで、使用者の設定した動作の終了後からの経過時間を計時する計時手段によって使用者の設定した動作の終了後所定時間を計時し、その間に衣類が取り出されていないときは、衣類の乾燥動作を開始するものである。これによって、使用者が洗濯終了した洗濯物を干すのを忘れても、所定時間後に自動的に乾燥動作が開始されるので、細菌の繁殖、や悪臭の発生や、強いシワの発生が無くなり、使用者はシワ取りのために時間を取られることや、臭いを発する不潔な衣類が放置されることを防止できる。また、この発明によって、干すのを忘れて洗濯物が傷むことで引き起こされる修復の作業、例えばアイロン掛けに時間がかかる、洗い直すという無駄を確実に避けることができる。
【００１３】
また、請求項２に記載の発明は、上記に加え、制御手段は、使用者が設定した脱水のシーケンス動作において脱水槽の総回転数が所定の回転回数以上の設定であり、脱水に引き続き乾燥を行わない設定のときであって、前記計時手段が所定の時間を計時した際に、前記洗濯兼脱水槽の中に衣類が有ると、衣類の乾燥動作を開始する衣類洗濯乾燥機とすることで、使用者が操作パネルで設定した洗濯行程の最終脱水の回転速度と脱水時間の設定内容から、所定の脱水槽の回転総数以上の場合に、全自動洗濯乾燥機の制御手段によって、選択的に自動乾燥行程移行を行うものである。請求項１記載の発明の実施で、自動的に乾燥行程に移行すると支障がある場合は、デリケート素材洗濯コースのように、脱水回転速度が遅く、時間も短く設定される事から、設定による脱水の回転速度と脱水時間による脱水槽の回転総数の判定で、自動乾燥行程移行の是非を判断するものである。この発明によって、自動乾燥行程移行に適応しない洗濯物まで自動乾燥することを回避でき不要な布傷みを防止できる。
【００１４】
また、請求項３に記載の発明は、上記に加え、制御手段は、デリケートな衣類の洗濯を行う洗濯コースを、使用者が設定して運転を開始したときには、所定時間経過後の乾燥運転開始を行わない衣類洗濯乾燥機とすることで、デリケート素材洗濯コースなど、自動的に乾燥行程に移行すると支障があると判断される洗濯コースを使用者が設定した場合、全自動洗濯乾燥機の制御手段によって、自動乾燥行程移行しない制御を行うものである。請求項１記載の発明の実施で、自動的に乾燥行程に移行すると支障がある洗濯コースが選択されたときに自動乾燥することを回避できる。
【００１５】
また、請求項４に記載の発明は、上記に加え、制御手段は、所定時間経過後の乾燥運転の開始を行わないように設定する操作を有した衣類洗濯乾燥機とすることで、上記の動作が自動的に乾燥運転を開始するものなので、使用者がその乾燥の開始を望まない場合に、運転開始時に使用者が操作パネルで設定することにより、全自動洗濯乾燥機の制御部が自動乾燥行程に移行をしないようにできるもので不要な布傷みをぼうしできるものである。
【００１６】
また、請求項５に記載の発明は、上記に加え、衣類検知手段は、洗濯兼脱水槽の蓋の開閉を検知するスイッチとしたことで、簡単に衣類検知手段が構成できると共に、使用者が洗濯終了した洗濯物を干すのを忘れても、所定時間後に自動的に乾燥動作が開始することを目的としているため、蓋の開閉だけで衣類が取り出されなかったとしても、使用者は、蓋の開閉により衣類が有ることに気付くもので、この場合は使用者が取り出すのを忘れているものではなく、衣類検知は、洗濯兼脱水槽の蓋の開閉を検知するスイッチとしたことで十分足りるものである。
【００１７】
また、請求項６に記載の発明は、上記に加え、衣類検知手段は、洗濯兼脱水槽の蓋の開の時間が所定の時間以上のときに衣類の取り出しとすることで、より確実な衣類取り出しの有無の判断ができるものである。
【００１８】
【実施例】
以下、本発明の実施例について、図面を参照して説明する。
【００１９】
（実施例１）
図１において、２１は筐体であり、その内部には、複数のサスペンション２２で前記筐体２１から懸垂支持された受け筒２３が設置してある。２４は、その内部に洗濯・脱水軸と、洗濯又は脱水時により回転力の伝達を洗濯軸と脱水軸に切り換えるクラッチ及び、回転を伝えるメカニズムを含むモータ部であり、前記受け筒２３の下部に固定されている。前記受け筒２３内部には、洗濯兼脱水槽２５が設けられており、その内部下部には、鍋型形状をしたパルセータ２６が有り、その表面には略放射状のリブ２７が、一体となっている。上記受け筒２３の底面からは、排水ホース２８がバルブ２９を持って設けられ、また、乾燥気流還流通路３０が、切り替えバルブ３１を途中に介して設けられている。前記乾燥通路還流通路３０は、空冷式の熱交換部３２へと繋がり、更に、発熱ヒータ３３、循環送風ファン３４を経て、伸縮自在ホース３５を介して受け筒２３の上部蓋３６へと、繋がった後、洗濯兼脱水槽２５の内部へと循環して入っていく。３７は受け筒２３の上部に設けられた投入・取り出しのための蓋であり、３８は、被乾燥物である。
【００２０】
上記構成において、図２を参照しながら動作を説明する。図２は、制御手段３９が、使用者によって操作入力部に入力された信号によって、洗濯行程を制御する方法を示したものである。
【００２１】
まず、ステップＳ１より動作を開始し、ステップＳ２にて使用者の入力を受け付け、使用者は、洗濯、すすぎ、脱水、乾燥の工程の選択や、各工程ごとのコース、例えば強く洗う、標準に洗う、弱水流で洗う、などの選択を行う。使用者が開始スイッチを押すとステップＳ３で、これを受け付けてステップＳ４より洗濯動作を開始する。その後自動的に工程は、ステップＳ５ですすぎ、ステップＳ６で脱水と進行する。この後、ステップＳ７で、ステップＳ２での使用者の入力で、乾燥コースが設定されたかどうかを判定し、乾燥コースが設定されなかった場合は、ステップＳ８に進み、洗濯完了を報知し、使用者によって入力設定した工程は終了する。終了後から、ステップＳ９で、計時手段４２により、終了後の時間を計時する。ステップＳ１０では、ステップＳ１１のタイムオーバーに至るまで、受け筒６内の衣類が取り出されたかどうかを、受け筒上部蓋３７のスイッチ４３の信号により、制御手段３９が判定し、前記所定の時間内に衣類が取り出されなかった場合は、ステップＳ１２の乾燥工程に進み、乾燥が終了すると、ステップＳ１３で終了を報知しステップＳ１４で動作を終了する。このスイッチ４３と制御手段３９とで洗濯兼脱水槽の中の衣類の有無を検知する衣類検知手段を構成している。
【００２２】
そして、記制御手段３９は、使用者が最終工程が脱水でかつ乾燥を行わない設定を行ったときに、使用者の設定した動作の終了後所定時間を計時し、その間に衣類が取り出されていないときは、衣類の乾燥動作を開始するようにしたので、使用者が洗濯終了した洗濯物を干すのを忘れても、所定時間後に自動的に乾燥動作が開始され、細菌の繁殖、強いシワの発生が無くなり、シワ取りに長時間の労力を要したり、洗い直しが必要になったりすることがない洗濯乾燥機を得ることができる。
【００２３】
また、衣類検知手段は、洗濯兼脱水槽の蓋の開閉を検知するスイッチ４３としたことで、簡単に衣類検知手段が構成できると共に、使用者が洗濯終了した洗濯物を干すのを忘れても、所定時間後に自動的に乾燥動作が開始することを目的としているため、蓋の開閉だけで衣類が取り出されなかったとしても、使用者は、蓋の開閉により衣類が有ることに気付くもので、この場合は使用者が取り出すのを忘れているものではなく、衣類検知は、洗濯兼脱水槽の蓋の開閉を検知するスイッチ４３としたことで十分足りるものである。また、洗濯兼脱水槽の蓋の開の時間が所定の時間以上のときに衣類の取り出しとすることで、より確実な衣類取り出しの有無の判断ができるものである。
【００２４】
（実施例２）
実施例２の動作について図３に基づいて説明する。まず、ステップＳ１５より動作を開始し、ステップＳ１６にて使用者の入力を受け付ける。使用者が開始スイッチを押すとステップＳ１７で、これを受け付けてステップＳ１８より洗濯動作を開始する。その後自動的に洗濯行程は、ステップＳ１９ですすぎ、ステップＳ２０で脱水と進行する。この後、ステップＳ２１で、ステップＳ１６での使用者の入力で、乾燥コースが設定されたかどうかを判定し、乾燥コースが設定されなかった場合はステップＳ２２で終了報知し、ステップＳ２３に進み、制御手段３９によりステップＳ１６で使用者が入力した最終の脱水速度と脱水時間から、最終脱水時の脱水槽の総回転回数が所定の回転数以上かどうかを判定する。所定の回転数以上の場合は、ステップＳ２４に進み、計時手段４２により、洗濯完了報知後の時間を計り始める。その後、ステップＳ２５では、ステップＳ２６のタイムオーバーに至るまで、受け筒６内の衣類が取り出されたかどうかを、受け筒３７上部のスイッチ４３の信号により、制御手段３９が判定し、衣類が取り出されなかった場合は、ステップＳ２７の乾燥工程に進み、乾燥が終了すると、ステップＳ２８で終了を報知しステップＳ２９で動作を終了する。
【００２５】
このように、使用者が乾燥を行わない設定を行いながら、洗濯終了した洗濯物を干すのを忘れた時、所定時間後に自動的に乾燥動作が開始されるのは、使用者が脱水槽回転数および脱水時間の設定により所定の脱水槽の総回転回数以上の脱水を最終工程に設定した時に限定されるので、デリケートな衣類の時や使用者の意向により、シワや型くずれなどを防ぐため強力な脱水を設定していない時には、自動的に乾燥動作を開始せず、自動乾燥は強く脱水された洗濯物に選択的に行われるので、自動乾燥による不用意な衣類のダメージを防ぐことができる。
【００２６】
（実施例３）
実施例３の動作について図４に基づいて説明する。ステップＳ３０より動作を開始しステップＳ３１にて使用者の入力を受け付ける。使用者がスタートスイッチを押すとステップＳ３２で、これを受け付けてＳ３３より洗濯を開始する。その後自動的に洗濯行程は、ステップＳ３４ですすぎ、ステップＳ３５で脱水と進行する。この後、ステップＳ３６で、ステップＳ３０での使用者の入力で、デリケート衣類コースが設定されたかどうかを判定する。デリケート衣類コースが設定されなかった場合はステップＳ３７で、ステップＳ３０での使用者の入力で、乾燥コースが設定されたかどうかを判定し、乾燥コースが設定されなかった場合はステップＳ３８で終了報知し、報知直後からステップＳ３９では、、４２計時手段により、報知後の時間を計り始める。その後、ステップＳ４０では、ステップＳ４１のタイムオーバーに至るまで、受け筒６内の衣類が取り出されたかどうかを、受け筒上部蓋３７のスイッチ４３の信号により、制御手段３９が判定し、衣類が取り出されなかった場合は、ステップＳ４２の乾燥工程に進み、乾燥が終了すると、ステップＳ４３で終了を報知しステップＳ４４で動作を終了する。
【００２７】
このように、使用者がデリケートな衣類のような、洗濯終了後そのまま乾燥に移行すると衣類のシワや型くずれなどが予想される洗濯コースを設定したときは、使用者が洗濯終了した洗濯物を干すのを忘れても、自動的に乾燥動作は開始されないので、自動乾燥する機能のある衣類洗濯乾燥機が、衣類にダメージを与えるようなことを防ぐことができる。
【００２８】
（実施例４）
次に実施例４の動作について図５に基づいて説明する。ステップＳ４５より動作を開始しステップＳ４６にて使用者の入力を受け付ける。使用者がスタートスイッチを押すとステップＳ４７で、これを受け付けてＳ４８より洗濯を開始する。その後自動的に洗濯行程は、ステップＳ４９ですすぎ、ステップＳ５０で脱水と進行する。この後、ステップＳ５１で、制御手段３９によりステップＳ４６での使用者の入力で、乾燥コースが設定されたかどうかを判定し、乾燥コースが設定されなかった場合は、ステップＳ５２に進み終了報知し、ステップＳ５３に進み、制御手段３９によりステップＳ４６での使用者の入力で、自動乾燥移行解除の設定がされたかどうかを判定し、自動乾燥移行解除に設定されていない場合は、ステップＳ５４に進み、制御手段３９によりステップＳ４６で使用者が入力した最終の脱水速度と脱水時間から、最終脱水時の脱水槽の総回転回数が所定の回転数以上かどうかを判定する。所定の回転数以上の場合は、ステップＳ５５に進み、計時手段４２により、洗濯完了報知後の時間を計り始める。その後、ステップＳ５６では、ステップＳ５７のタイムオーバーに至るまで、受け筒６内の衣類が取り出されたかどうかを、受け筒上部蓋のスイッチ４３の信号により、制御手段３９が判定し、衣類が取り出されなかった場合は、ステップＳ５８の乾燥工程に進み、乾燥が終了すると、ステップＳ５９で終了を報知しステップＳ６０で動作を終了する。
【００２９】
このように、洗濯終了後、衣類が取り出さなかったとしても、使用者の意向によって、自動的に乾燥運転を始めないよう使用者が設定できるので、自動乾燥機能があっても、どんなときでも使用者の意向に添った運転を設定でき、不用意な衣類の傷みを防止できる。
【００３０】
【発明の効果】
上記実施例から明らかなように、請求項１に記載の発明によれば、筐体と、この筐体に内包され回転軸を中心に回転する略円筒状で衣類を収容する洗濯兼脱水槽と、前記洗濯兼脱水槽を内包し洗濯兼脱水槽と同心の略円筒形状である受け筒と、前記洗濯兼脱水槽および洗濯軸を回転させるモータと、衣類を乾燥させる乾燥空気を加熱するヒータと、乾燥空気を送風する乾燥用送風機と、前記モータと前記ヒータと前記乾燥用送風機を動作させて使用者の設定に応じ衣類の洗濯、すすぎ、脱水、乾燥の一連の動作を制御する制御手段と、使用者の設定した動作の終了後からの経過時間を計時する計時手段を備え、前記制御手段は、使用者が最終工程が脱水でかつ乾燥を行わない設定を行ったときに、使用者の設定した動作の終了後所定時間を計時し、その間に衣類が取り出されていないときは、衣類の乾燥動作を開始するようにしたから、使用者が洗濯終了した洗濯物を干すのを忘れても、所定時間後に自動的に乾燥動作が開始されるので、細菌の繁殖、強いシワの発生が無くなり、シワ取りに長時間の労力を要したり、洗い直しが必要になったりすることがない全自動洗濯乾燥機を得ることができる。
【図面の簡単な説明】
【図１】本発明の実施例１の洗濯乾燥機の全体構成を示す断面図
【図２】同全自動洗濯乾燥機の動作フローチャート
【図３】本発明の実施例２の洗濯乾燥機の動作フローチャート
【図４】本発明の実施例３の洗濯乾燥機の動作フローチャート
【図５】本発明の実施例４の洗濯乾燥機の動作フローチャート
【図６】従来の全自動洗濯乾燥機の側断面図
【符号の説明】
２１  筐体
２３  受け筒
２４  モータ
２５  洗濯兼脱水槽
３３  ヒータ
３４  乾燥用送風機
３９  制御手段
４２  計時手段
【図１】
2005027689.tif 000003
【図２】
2005027689.tif 000004
【図３】
2005027689.tif 000005
【図４】
2005027689.tif 000006
【図５】
2005027689.tif 000007
【図６】
2005027689.tif 000008